(57)【特許請求の範囲】
【請求項１】
下記一般式（ＩＩ）で示される光学活性２−アシルオキシ−４−オキソ−４−アリール酪酸を、４位カルボニル基の接触還元反応及びアシル基の脱離反応に付することを特徴とする下記一般式（ＩＩＩ）で示される光学活性２−ヒドロキシ−４−アリール酪酸の製造方法。
0003915015.tif 000006
ただし、上記一般式（ＩＩ）中、Ｒ１はハロゲン原子で置換されていてもよい炭素原子数２〜７の直鎖、分岐鎖もしくは環状脂肪族アシル基、または炭素原子数７〜１１の芳香族アシル基を、Ｒ２は置換基を有していてもよい炭素原子数４〜１０のアリール基を、そして＊は不斉炭素原子を示す。また、上記一般式（ＩＩＩ）中、Ｒ２は置換基を有していてもよい炭素原子数４〜１０のアリール基を、そして＊は不斉炭素原子を示す。
【請求項２】
下記一般式（ＩＩ）で示される光学活性２−アシルオキシ−４−オキソ−４−アリール酪酸を４位カルボニル基の接触還元反応、アシル基の脱離反応、及び置換基を有してもよい炭素原子数１〜６の直鎖、分岐鎖もしくは環状アルキルアルコール、または炭素原子数７〜１２のアラルキルアルコールとのエステル化反応に付すことを特徴とする下記一般式（ＩＶ）で示される光学活性２−ヒドロキシ−４−アリール酪酸エステルの製造方法。
0003915015.tif 000007
ただし、上記一般式（ＩＩ）中、Ｒ１はハロゲン原子で置換されていてもよい炭素原子数２〜７の直鎖、分岐鎖もしくは環状脂肪族アシル基、または炭素原子数７〜１１の芳香族アシル基を、Ｒ２は置換基を有してもよい炭素原子数４〜１０のアリール基を、そして＊は不斉炭素原子を示す。また、上記一般式（ＩＶ）中、Ｒ２は置換基を有していてもよい炭素原子数４〜１０のアリール基を、Ｒ３は置換基を有してもよい炭素原子数１〜６の直鎖、分岐鎖もしくは環状アルキル基、または炭素原子数７〜１２のアラルキル基を、そして＊は不斉炭素原子を示す。
【請求項３】
前記一般式（ＩＩ）及び（ＩＩＩ）で示される化合物がいずれも（Ｒ）−体である請求項１〜２のいずれかに記載の製造方法。
【発明の詳細な説明】
【０００１】
【発明の属する技術分野】
本発明は、優れた抗高血圧剤として知られるエナラプリル、シラザプリルなどの合成中間体として有用な光学活性２−ヒドロキシ−４−アリール酪酸またはそのエステル、就中、光学活性２−ヒドロキシ−４−フェニル酪酸またはそのエステルの製造方法に関する。
【０００２】
【従来の技術】
従来、光学活性２−ヒドロキシ−４−フェニル酪酸の製造法としては、例えば、（ｉ）ラセミ体の２−ヒドロキシ−４−フェニル酪酸を原料とし、アシル化剤の存在下、酵素反応により（Ｒ）−体を得る方法（Ａｇｒｉｃ．Ｂｉｏｌ．Ｃｈｅｍ．，５５，２９３等）、
（ｉｉ）ラセミ体の２−ヒドロキシ−４−フェニル酪酸を光学活性アミンとの塩とし、ジアステレオマーの溶解度の差により分割を行う方法（ＥＰ  ３２９１５６）、（ｉｉｉ）２−オキソ−４−フェニル酪酸を酵素反応により不斉還元する方法（Ｊ．Ｂｉｏｔｅｃｈｎｏｌ．，２４，３１５（１９９２）等）、（ｉｖ）２−オキソ−４−フェニル酪酸を不斉水素化する方法（Ｓｔｄ．Ｓｕｒｆ．Ｓｃｉ．Ｃａｔａｌ．，７８，１３９（１９９３））、（ｖ）Ｄ−ホモフェニルアラニンに亜硝酸を作用させて（Ｒ）−２−ヒドロキシ−４−フェニル酪酸とする方法（ＵＳ  ３２９１５６等）、及び（ｖｉ）ベンザルピルビン酸をＬ−プロリン−水素化ホウ素ナトリウム複合体を用いて（Ｒ）−２−ヒドロキシ−４−フェニル−３−ブテン酸とした後、これを接触水添して（Ｒ）−２−ヒドロキシ−４−フェニル酪酸とする方法（特開平４−１８０５０）が知られている。また、光学活性２−ヒドロキシ−４−フェニル酪酸エステルの製造法としては、例えば、（ｖｉｉ）ラセミ体の２−ヒドロキシ−４−フェニル酪酸エステルを酵素反応により（Ｓ）一体のみ水解して（Ｒ）−体のエステルを得る方法（特開平１−２２５４９９等）、（ｖｉｉｉ）ラセミ体の２−アシルオキシ−４−フェニル酪酸エステルを酵素反応により（Ｒ）−体のみ脱アシルして（Ｒ）−ヒドロキシ体を得る方法（特開平１−２４７１００等）、（ｉｘ）２−オキソ−４−フェニル酪酸エステルを酵素反応により不斉還元する方法（特開平５−３２８９８４等）、（ｘ）ラセミ体の２−ヒドロキシ−４−フェニル酪酸を光学分割した後、エステル化する方法（Ｊ．Ｃｈｅｍ．Ｓｏｃ．，Ｐｅｒｋｉｎ  Ｔｒａｎｓ．１，１０１１（１９８６））、（ｘｉ）２−オキソ−４−フェニル酪酸の１−メントールエステルを合成した後、還元する方法（Ｔｅｔｒａｈｅｄｒｏｎ  Ｌｅｔｔ．，４２３（１９８８））、及び（ｘｉｉ）２−オキソ−４−フェニル酪酸エステルを不斉水素化する方法（ＥＰ  ２０６９９３、ＥＰ  ５６４４０６等）が知られている。
【０００３】
しかしながら、ラセミ体の２−ヒドロキシ−４−フェニル酪酸エステルを原料とする（ｉ）、（ｉｉ）、（ｖｉｉ）、（ｖｉｉｉ）および（ｘ）の方法には、原理的に収率が５０％を超えないという短所があり、２−オキソ−４−フェニル酪酸またはそのエステルを原料とする（ｉｉｉ）、（ｉｖ）、（ｉｘ）、（ｘｉ）および（ｘｉｉ）の方法は、２−オキソ−４−フェニル酪酸エステル自体の合成法が煩雑であり、収率も満足できるものではない。また、Ｄ−ホモフェニルアラニンを原料とする（ｖ）の方法は、アミノ酸自体が非天然型であるためその製造コストが高く、実用的ではない。さらに、ベンザルピルビン酸を原料とする（ｖｉ）の方法にも、２段階の製法であるため煩雑で、高コストであるという欠点がある。
【０００４】
【発明が解決しようとする課題】
本発明の目的は、光学活性２−ヒドロキシ−４−アリール酪酸またはそのエステルの、工業的に有利な方法を確立することである。
【０００５】
【課題を解決するための手段】
本発明者らは上記の問題点を解決すべく鋭意検討を行った結果、光学活性リンゴ酸から工業的に容易に製造の可能な光学活性無水アシルオキシコハク酸を原料とし、これをルイス酸触媒の存在下芳香族化合物と反応させることにより、光学活性２−ヒドロキシ−４−アリール酪酸またはそのエステルの有用な中間体である光学活性２−アシルオキシ−４−オキソ−４−アリール酪酸が容易に得られることを見出し、さらにこれに対し還元、および脱アシル、エステル化等の反応を順次行うことにより上記の問題が解決できることを見出し、本発明を完成するに至った。
【０００６】
すなわち、本発明は、第１に、下記一般式（Ｉ）で示される光学活性無水アシルオキシコハク酸を、ルイス酸（触媒）の存在下、置換基を有していてもよい炭素原子数４〜１０の芳香族化合物と反応させることを特徴とする下記一般式（ＩＩ）で示される光学活性２−アシルオキシ−４−オキソ−４−アリール酪酸の製造方法に関する。
【０００７】
【化５】
0003915015.tif 000002
【０００８】
ただし、上記一般式（Ｉ）中、Ｒ１はハロゲン原子で置換されていてもよい炭素原子数２〜７の直鎖、分岐鎖もしくは環状脂肪族アシル基、または炭素原子数７〜１１の芳香族アシル基を、そして＊は不斉炭素原子を示す。
【０００９】
また、上記一般式（ＩＩ）中、Ｒ１はハロゲン原子で置換されていてもよい炭素原子数２〜７の直鎖、分岐鎖もしくは環状脂肪族アシル基、または炭素原子数７〜１１の芳香族アシル基を、Ｒ２は置換基を有していてもよい炭素原子数４〜１０のアリール基を、そして＊は不斉炭素原子を示す。
【００１０】
本発明は、第２に、このようにして得ることのできる前記一般式（ＩＩ）で示される光学活性２−アシルオキシ−４−オキソ−４−アリール酪酸を、４位カルボニル基の接触還元反応及びアシル基の脱離反応に付することを特徴とする下記一般式（ＩＩＩ）で示される光学活性２−ヒドロキシ−４−アリール酪酸の製造方法に関する。
【００１１】
【化６】
0003915015.tif 000003
【００１２】
ただし、上記一般式（ＩＩＩ）におけるＲ２及び＊の意味は、それぞれ、前記一般式（ＩＩ）におけると同じである。
【００１３】
本発明は、第３に、前記一般式（ＩＩ）で示される光学活性２−アシルオキシ−４−オキソ−４−アリール酪酸を４位カルボニル基の接触還元反応、アシル基の脱離反応、及び置換基を有してもよい炭素原子数１〜６の直鎖、分岐鎖もしくは環状アルキルアルコール、または炭素原子数７〜１２のアラルキルアルコールとのエステル化反応に付すことを特徴とする下記一般式（ＩＶ）で示される光学活性２−ヒドロキシ−４−アリール酪酸エステルの製造方法に関する。
【００１４】
【化７】
0003915015.tif 000004
【００１５】
ただし、上記一般式（ＩＶ）中、Ｒ２及び＊の意味は、それぞれ、前記一般式（ＩＩ）におけると同じであり、またＲ３は置換基を有していてもよい炭素原子数１〜６の直鎖、分岐鎖もしくは環状アルキル基、または炭素原子数７〜１２のアルキル基を示す。
【００１６】
本発明は、さらに、下記一般式（Ｖ）で示される光学活性２−アシルオキシ−４−オキソ−４−フェニル酪酸自体に関する。
【００１７】
【化８】
0003915015.tif 000005
【００１８】
ただし、上記一般式（Ｖ）におけるＲ１及び＊の意味は、それぞれ、前記一般式（ＩＩ）におけると同じである。
【００１９】
【発明の実施の形態】
以下、本発明について詳細に説明する。
【００２０】
先ず、本発明の第１に係わる製造方法について説明する。
【００２１】
この製造方法は、光学性無水アシルオキシコハク酸（Ｉ）を、ルイス酸触媒の存在下、置換基を有していてもよい炭素原子数４〜１０の芳香族化合物と反応させることを特徴とする光学活性２−アシルオキシ−４−オキソ−４−アリール酪酸（ＩＩ）の製造方法である。
【００２２】
この製造方法の原料である光学活性無水アシルオキシコハク酸（Ｉ）におけるアシル基（Ｒ１）としては、例えば、ハロゲン原子などで置換されていてもよい炭素原子数２〜７の直鎖、分岐鎖もしくは環状脂肪族アシル基、及び炭素原子数７〜１１の芳香族アシル基が挙げられ、具体的にはアセチル基、トリフルオロアセチル基、ベンゾイル基などを挙げることができる。なお、工業的には、アセチル基が反応の後処理やコストの点で有利である。
【００２３】
なお、光学活性無水アシルオキシコハク酸（Ｉ）は、光学活性リンゴ酸とハロゲン化アシルおよび／または酸無水物との反応により容易に得ることができる。例えば、光学活性無水アセトキシコハク酸は、光学性活性リンゴ酸に塩化アセチルの存在下に無水酢酸を作用させて無水物化することにより、容易に合成することができる（Ｊ．Ｏｒｇ．Ｃｈｅｍ．，５３，１０４０（１９８８））。
【００２４】
目的物質の光学活性２−アシルオキシ−４−オキソ−４−アリール酪酸（ＩＩ）の製造に用いる他の原料である芳香族化合物は、広義の芳香族化合物であって、このようなものとしては、例えば、ベンゼン、ナフタレン、フラン、チオフェン、ピロール、インドールおよびそれらの誘導体などを挙げることができるが、例えば、本発明の最終目的化合物の１つであるエナラプリルの中間体を合成するにはベンゼンを用いればよい。
【００２５】
触媒のルイス酸としては、例えば、無水塩化アルミニウム、三塩化ホウ素、四塩化チタンなどを挙げることができるが、収率の点で無水塩化アルミニウムの使用が最も有利である。
【００２６】
自的物質の光学活性２−アシルオキシ−４−オキソ−４−アリール酪酸（ＩＩ）の合成を実施するには、自的物質の合成される限りは、その反応条件には特別の制限はない。例えば、反応容器に、光学活性無水アシルオキシコハク酸（Ｉ）と、これに対して等モル以上、好ましくは１〜１０倍モルの芳香族化合物を入れ、溶媒を加えて均一溶液とした後、光学活性無水アシルオキシコハク酸に対して１〜１０倍モル、好ましくは２〜５倍モルのルイス酸を加えて攪拌することで行うことができる。光学活性無水アシルオキシコハク酸に対する芳香族化合物の割合が少な過ぎると収率が低下し、多過ぎると問題が生じる。また、光学活性無水アシルオキシコハク酸に対するルイス酸の割合が少な過ぎると収率が低下し、多過ぎると問題が生じる。
【００２７】
また、先ず、ルイス酸と溶媒を反応容器に入れ、ルイス酸の溶液または懸濁液とした後に、光学活性無水アシルオキシコハク酸と芳香族化合物とを加えて反応を行うこともできる。この場合の原料及び触媒の使用割合は上に述べたと全く同じである。
【００２８】
本反応（Ｆｒｉｅｄｅｌ−Ｃｒａｆｔｓ反応の１種）で使用する溶媒には、これが反応に悪影響を及ぼさず、かつ、原料が反応に必要な程度に溶解し得るものであれば特別の制限はなく、例えば、塩化メチレン、ジクロロエタン、ベンゼン、ニトロベンゼンおよびこれらの混合溶媒などを挙げることができる。これら溶媒の使用量にも、反応混合液が効率的に攪拌できる量であれば特別の制限はなく、例えば、通常、原料である光学活性無水アシルオキシコハク酸の１重量部に対して１〜１００重量部、好ましくは５〜５０重量部の割合にすることができる。
【００２９】
反応温度も、また、反応が進行しかつ生成物が分解しない温度であれば、これに特別の制限はないが、高温になるほど副反応が生じて反応収率が低下するため、通常は−７０℃〜３０℃、好ましくは−４０℃〜０℃である。低温に過ぎると反応が速度が低下する。
【００３０】
反応溶液に硫酸、塩酸等の鉱酸水溶液を加え、反応を停止した後、例えば、分層、洗浄、抽出、濃縮、晶析などを適宜組み合わせる通常の方法で後処理を行うことにより、目的とする光学活性２−アシルオキシ−４−オキソ−４−アリール酪酸（ＩＩ）を容易に単離することができる。通常、本反応のようなＦｒｉｅｄｅｌ−Ｃｒａｆｔｓ反応は、後処理段階でアルミニウムに由来するガム状物質が析出するなどして反応操作が困難となる場合が多いが、本反応に於いては、ガム状物質の析出は殆どなく、反応の操作性は非常に良好である。
【００３１】
本反応に於いては、原料として使用した光学活性無水アシルオキシコハク酸（Ｉ）の立体配置がそのまま得られる光学活性２−アシルオキシ−４−オキソ−４−アリール酪酸（ＩＩ）の立体配置となる。前記のエナラプリル、シラザプリルなどの抗高血圧剤の原料としては（Ｒ）−リンゴ酸を出発原料とする（Ｒ）一体の２−アシルオキシ−４−オキソ−４−アリール酪酸が有用であるが、より安価な（Ｓ）−リンゴ酸を出発物質に進んだ場合も、（Ｒ）一体と同様な方法（実施例６参照）によりエステル化または加水分解を行い２−ヒドロキシ体とした後、これを、例えばメシルオキシ基のような脱離基に変換し、さらにアシルオキシアニオンを作用させることにより立体配置を反転させることが可能であり、延いては前記抗高血圧剤の原料とすることができる。
【００３２】
次に、本発明の第２に係わる製造方法について説明する。
この製造方法は、例えば、上に説明した本発明の第１の製造法によって製造することのできる光学活性２−アシルオキシ−４−オキソ−４−アリール酪酸（ＩＩ）を４位カルボニル基の接触還元反応、引き続きアシル基の脱離反応に付することを特徴とする光学活性２−ヒドロキシ−４−アリール酪酸（ＩＩＩ）の製造方法である。
【００３３】
還元反応は、例えば、反応容器に光学活性２−アシルオキシ−４−オキソ−４−アリール酪酸（ＩＩ）を入れ、溶媒を加えてこれを溶媒に溶解した後、触媒を加えて水素雰囲気下で接触還元を行なう。
【００３４】
本工程で使用する溶媒は、反応に悪影響を及ぼさず、かつ、原料が反応に必要な程度に溶解し得るものであればこれには特別の制限はないが、例えば、水、エタノール等の低級アルコール、酢酸などの低級脂肪酸、酢酸エチルなどの低級エステル、テトラヒドロフランなどのエーテル系溶媒、およびこれらの混合溶媒等を挙げることができる。また、これらには必要に応じて塩酸、硫酸などの反応促進剤を加えることもできる。これら溶媒の使用量にも、反応混合液が効率的に撹拌できる量であれば特別の制限はないが、例えば、通常、光学活性２−アシルオキシ−４−オキソ−４−アリール酪酸（ＩＩ）１重量部に対して１〜１００重量部、好ましくは５〜５０重量部の割合とすることができる。
【００３５】
還元に使用する触媒は、反応を円滑に進め得るものであれば、これには特別の制限はないが、例えば、パラジウム、ロジウム、ルテニウム、白金およびニッケルなどを挙げることができる。またこれらの触媒は炭素などに担持されていてもよく、また、水を含んでいてもよい。触媒の使用量は、目的の反応を完結できる量であれば、これにも特別の制限はないが、例えば、通常、光学活性２−アシルオキシ−４−オキソ−４−アリール酪酸（ＩＩ）１００モル当たり０．０１〜１０モル、好ましくは０．１〜５モルの割合とすることができる。
【００３６】
還元時の水素圧は、反応を円滑に進め得る程度であれば、これには特別の制限はないが、１〜１５０ｋｇｆ／ｃｍ２、好ましくは１〜２０ｋｇｆ／ｃｍ２とすることができる。
【００３７】
反応温度は、反応が進行しかつ生成物が分解しない温度であれば、これには特別の制限はないが、例えば、通常−２０℃〜１２０℃、好ましくは０℃〜１００℃とすることができる。
【００３８】
還元反応終了後、触媒を濾別などで除去し、溶媒を溜去などで除去することにより、４位カルボニル基の還元された光学活性２−アシルオキシ−４−アリール酪酸を得る。
【００３９】
次に、この光学活性２−アシルオキシ−４−アリール酪酸のアシル基の脱離は、例えば、酸、アルカリなど適当な加水分解剤を使用してアシルオキシ部分を加水分解してアシル基を除去することで行うことができ、このようにして目的の光学活性２−ヒドロキシ−４−アリール酪酸（ＩＩＩ）を得ることができる。
【００４０】
この加水分解反応は、例えば、上に説明した還元反応終了後、触媒及び溶媒を除去して得た残渣に、水と、必要に応じて、例えば、低級アルコール、アセトンまたはジオキサンなどのような水と混合し得る有機溶剤を加え、さらに酸またはアルカリを加えて加水分解を行うことでできる。
【００４１】
加水分解に使用する酸またはアルカリは、反応を円滑に進め得るものであれば、これには特別の制限はなく、例えば、硫酸、塩酸、水酸化ナトリウムおよび水酸化カリウムなどを挙げることができる。
【００４２】
反応終了後、例えば、濃縮、抽出、洗浄などを適宜組み合わせる通常の方法で後処理を行なった後、晶析、蒸留などにより精製することにより、目的とする光学活性２−ヒドロキシ−４−アリール酪酸（ＩＩＩ）を容易に単離することができる。
【００４３】
次に、本発明の第３に係わる製造方法について説明する。
【００４４】
この製造方法は、例えば、上に説明した本発明の第１に係わる製造法によって製造することのできる光学活性２−アシルオキシ−４−オキソ−アリール酪酸（ＩＩ）を、カルボニル基の接触還元反応、アシル基の脱離反応及び置換基を有していてもよい炭素原子数１〜６の直鎖、分岐鎖もしくは環状アルコール、または炭素原子数７〜１２のアラルキルアルコールとのエステル化反応に付することを特徴とする光学活性２−ヒドロキシ−４−アリール酪酸エステル（ＩＶ）の製造方法である。
【００４５】
還元反応を行うには、例えば、先に説明した本発明の第２に係わる製造方法におけると全く同様にして、光学活性２−アシルオキシ−４−オキソ−４−アリール酪酸（ＩＩ）から得られた光学活性２−アシルオキシ−４−アリール酪酸を通常エステル化に使用する溶媒、例えばエチルエステルであればエタノールに溶解し、酸触媒を加え、加熱還流することによりエステル化を行なうことができる。この条件下では、アシル基はエステル化と同時に加溶媒分解され目的とする光学活性２−ヒドロキシ−４−アリール酪酸エステル（ＩＶ）を得ることができる。
【００４６】
溶媒の使用量は、反応混合液が効率的に攪拌できる量であればこれには特別の制限はがなく、例えば、光学活性２−アシルオキシ−４−オキソ−４−アリール酪酸（ＩＩ）の重量に対して１〜１００倍重量、好ましくは５〜５０倍重量とすることができる。
【００４７】
エステル化に使用する酸触媒にも、これが反応を円滑に進め得るものであれば特別の制限はなく、例えば、硫酸、メタンスルホン酸、ｐ−トルエンスルホン酸および塩化水素などを挙げることができる。触媒の使用量も、目的の反応を完結できる量であれば特別の制限はなく、例えば、通常、光学活性２−アシルオキシ−４−オキソ−４−アリール酪酸（ＩＩ）１００モル当たり０．１〜１００モル、好ましくは１〜３０モルとすることができる。
【００４８】
エステル化反応終了後は、例えば、濃縮、抽出、洗浄などを適宜組み合わせる通常の方法で後処理を行なった後、晶析、蒸留などにより精製することにより、目的とする光学活性２−ヒドロキシ−４−アリール酪酸エステル（ＩＶ）を容易に単離することができることは、その遊離酸（ＩＩＩ）の場合と同様である。
【００４９】
また、還元反応をエステル化に使用する溶媒中で実施すれば、還元、脱アシル及びエステル化をある程度同時に進行させることができる。
【００５０】
最後に、本発明の第４に係わる物質自体について説明する。
【００５１】
本発明に関する光学活性２−アシルオキシ−４−オキソ−４−アリール酪酸（ＩＩ）は、新規化合物であるが、これらの中でも光学活性２−アシルオキシ−４−オキソ−アリール酪酸（Ｖ）、特に、アリール基がフェニル基でありおよび／または不斉炭素原子が（Ｒ）一体を与える化合物が、エナラプリルなどの合成中間体として有用なことは先に説明した通りである。
【００５２】
【実施例】
以下に実施例を示して本発明をより詳細に説明するが、本発明はこれらに限定されるものではない。
【００５３】
実施例１：（Ｒ）−２−アセトキシ−４−オキソ−４−フェニル酪酸の合成（Ｒ）−無水アセトキシコハク酸４．７４ｇおよびベンゼン２．３４ｇを塩化メチレン５０ｍｌに溶解し、−１０℃に冷却した。この溶液に、乾燥アルゴン雰囲気下、５０ｍｌの塩化メチレンに懸濁した無水塩化アルミニウム８．００ｇを液温が０℃を超えないように、撹拌下、注意しながら加えた。液温を−３℃〜０℃に保ち２２時間撹拌した後、６規定塩酸５０ｍｌを加えて反応を停止した。
【００５４】
水層を分離し、塩化メチレン層を水５０ｍｌで洗浄した後、塩化メチレンを減圧下溜去した。残渣に酢酸イソプロピル５０ｍｌを加え、分離した水を分層除去した後、減圧下に酢酸イソプロピルを溜去することにより、粗（Ｒ）−２−アセトキシ−４−オキソ−４−フェニル酪酸４．７４ｇを淡黄色油状残渣として得たが、これは、室温に放置すると結晶化した。これをエーテルから再結晶して白色プリズム状結晶の（Ｒ）−２−アセトキシ−４−オキソ−４−フェニル酪酸を得た。
【００５５】
［α］２０Ｄ＝−２１．１゜  （ｃ＝１、エタノール）．
１Ｈ  ＮＭＲ（ＣＤＣｌ３、δｐｐｍ）：２．１２（ｓ，３Ｈ）、３．５５（ｄｄ，１Ｈ，Ｊ＝３．９Ｈｚ）、３．６６（ｄｄ，１Ｈ，Ｊ＝７．８）、５．７５（ｑ，１Ｈ）、７．４８（ｍ，２Ｈ）、７．６２（ｍ，１Ｈ）、７．９６（ｍ，２Ｈ）．
ＭＳ（ＥＳＩ、ｍ／ｚ）：２３７．５（ＭＨ＋）、２５９．５（Ｈ＋Ｎａ＋）、４９５．４（２Ｍ＋Ｎａ＋）．  ＩＲ（ＫＢｒ、ｃｍ−１）：１７６０、１７０２、１６８８（Ｃ＝０）．
ｍｐ：１１８〜１２１℃。
【００５６】
実施例２：（Ｓ）−２−アセトキシ−４−オキソ−４−フェニル酪酸の合成
（Ｓ）−無水アセトキシコハク酸１５．８１ｇおよびベンゼン２３．４３ｇを塩化メチレン１５０ｍｌに溶解し、−２０℃に冷却した。この溶液に、乾燥アルゴン雰囲気下、無水塩化アルミニウム４０．００ｇを、撹拌下、温度上昇に注意しながら加えた。液温を−２０℃に保ち６時間撹拌した後、１規定塩酸１００ｍｌを温度が３０℃を超えないように注意しながら加えて反応を停止した。
【００５７】
析出した全ての固形物が溶解するまで室温で撹拌した後、水層を分離し、塩化メチレンを減圧下溜去した。残渣を酢酸イソプロピル１５０ｍｌに溶解し、水で洗浄した後、減圧下酢酸イソプロピルを溜去することにより、粗（Ｓ）−２−アセトキシ−４−オキソ−４−フェニル酪酸１９．８６ｇの微黄色固体を得た。これをエタノールとｔ−ブチルメチルエーテルの混合液から再結晶して白色プリズム状結晶の（Ｓ）−２−アセトキシ−４−オキソ−４−フェニル酪酸を得た。
【００５８】
実施例３：（Ｒ）−２−アセトキシ−４−オキソ−４−フェニル酪酸の合成
（Ｒ）−無水アセトキシコハク酸４７．４４ｇおよびベンゼン３５．１５ｇを塩化メチレン４５０ｍｌに溶解し、−１６℃に冷却した。この溶液に、無水塩化アルミニウム１２０．００ｇを、撹拌下、温度上昇に注意しながら加えた。液温を−１６℃に保ち６時間撹拌した後、１規定塩酸３００ｍｌを温度が２０℃を越えないように注意しながら加えて反応を停止した。
【００５９】
析出した全ての固形物が溶解するまで室温で撹拌し、さらに酢酸イソプロピル１００ｍｌを加えて短時間撹拌した後、水層を分離し、有機層を減圧下に濃縮した。得られたスラリーに酢酸イソプロピル４５０ｍｌを加え、全ての結晶が溶解するまで撹拌した後、水で洗浄した。液量が約３００ｍｌになるまで酢酸イソプロピル層を減圧濃縮し、濃縮液と同容量のｎ−ヘキサンを加えた後、５℃に冷却下し、この温度で一夜撹拌した。スラリーを分離、乾燥して（Ｒ）−２−アセトキシ−４−オキソ−４−フェニル酪酸の白色結晶６２．７０ｇを得た。ＨＰＬＣ分析の結果、純度（標品による定量値）は１００．８％、そして光学純度は１００％ｅｅであった。
【００６０】
実施例４：（Ｓ）−２−アセトキシ−４−オキソ−４−フェニル酪酸の合成
（Ｒ）−無水アセトキシコハク酸を（Ｓ）−無水アセトキシコハク酸に代えた以外は実施例３におけると全く同じ操作を行い、（Ｓ）−２−アセトキシ−４−オキソ−４−フェニル酪酸の白色結晶５９．５３ｇを得た。ＨＰＬＣ分析の結果、純度（標品による定量値）は９８．５８％、そして光学純度は１００％ｅｅであった。
【００６１】
実施例５：（Ｒ）−２−ヒドロキシ−４−フェニル酪酸エチルの合成
（Ｒ）−２−アセトキシ−４−オキソ−４−フェニル酪酸６０．００ｇをエタノール３８０ｍｌに溶解し、硫酸１．３１ｇおよび５％パラジウム炭素（５０％含水）５．４１ｇを加え、水素雰囲気下、２０℃で２０時間撹拌した。パラジウム炭素を濾別後、硫酸をさらに２．６２ｇ加え、１６時間加熱還流を行った。溶媒を減圧溜去し、再びエタノール３８０ｍｌを加え、さらに４時間加熱還流を行った。
【００６２】
反応終了後、エタノールを減圧溜去して得た油状残渣に５００ｍｌの酢酸イソプロピルを加え、５％重曹水２５０ｍｌ及び水２５０ｍｌで順次洗浄した後、減圧下に濃縮することにより（Ｒ）−２−ヒドロキシ−４−フェニル酪酸エチルを酢酸イソプロピル溶液として得た。ＨＰＬＣ分析の結果、収量は４８．０２ｇ、純度（面積百分率）は９９．８％、そして光学純度は１００％ｅｅであった。
【００６３】
実施例６：（Ｓ）−２−ヒドロキシ−４−フェニル酪酸エチルの合成
（Ｓ）−２−アセトキシ−４−オキソ−４−フェニル酪酸１６．４０ｇをエタノール１００ｍｌに溶解し、硫酸０．３５ｇおよび５％パラジウム炭素（５０％含水）１．５５ｇを加え、水素雰囲気下、２０℃で４０時間撹拌した。パラジウム炭素を濾別後、硫酸をさらに０．７１ｇ加え、１６時間加熱還流を行った。溶媒を減圧溜去し、再びエタノール１００ｍｌを加え、さらに４時間加熱還流を行った。
【００６４】
反応終了後、エタノールを減圧溜去して得た油状残渣に１４０ｍｌの酢酸イソプロピルを加え、５％重曹水７０ｍｌ及び水７０ｍｌで順次洗浄した後、減圧下に濃縮することにより（Ｓ）−２−ヒドロキシ−４−フェニル酪酸エチルを酢酸イソプロピル溶液として得た。ＨＰＬＣ分析の結果、収量は１３．１１ｇ、純度（面積百分率）は９９．２％、そして光学純度は１００％ｅｅであった。
【００６５】
実施例７：（Ｒ）−２−ヒドロキシ−４−フェニル酪酸の合成
（Ｒ）−２−アセトキシ−４−オキソ−４−フェニル酪酸２．３６ｇを酢酸１５ｍｌに溶解し、５％パラジウム炭素（５０％含水）０．２１ｇを加え、水素雰囲気下、６０℃で２４時間撹拌した。パラジウム炭素を濾別後、溶媒を溜去して得た（Ｒ）−２−アセトキシ−４−フェニル酪酸に１規定塩酸３０ｍｌを加え、撹拌下に３時間、加熱還流した。
【００６６】
反応液を氷浴中で冷却しつつ撹拌することにより（Ｒ）−２−ヒドロキシ−４−フェニル酪酸が白色結晶として析出した。これを濾取し、乾燥後の収量は１．４５ｇ、そして光学純度１００％ｅｅであった。
【００６７】
実施例８：（Ｒ）−２−ヒドロキシ−４−フェニル酪酸エチルの合成
実施例１で得た粗（Ｒ）−２−アセトキシ−４−オキソ−４−フェニル酪酸１．００ｇを酢酸１０ｍｌに溶解し、５％パラジウム炭素（５０％含水）０．３６ｇを加え、水素雰囲気下、７０℃で２４時間撹拌した。パラジウム炭素を濾別後、酢酸を減圧下に溜去することにより残渣として得た（Ｒ）−２−アセトキシ−４−フェニル酪酸を、エタノール２５ｍｌに溶解し、触媒として硫酸４滴を加え、６時間加熱還流を行った後、エタノールを減圧溜去し、再びエタノール２５ｍｌを加え、さらに５時間加熱還流を行った。
【００６８】
反応終了後、エタノールを減圧溜去して得た油状残渣に３０ｍｌの酢酸イソプロピルを加え、５％重曹水２５ｍｌ、水２５ｍｌ、で順次洗浄した後、無水硫酸マグネシウムで乾燥した。硫酸マグネシウムを濾別した後、減圧下、酢酸イソプロピルを溜去することにより（Ｒ）−２−ヒドロキシ−４−フェニル酪酸エチルを含む油状残渣０．８３ｇを得た。これをＨＰＬＣで分析したところ（Ｒ）−２−ヒドロキシ−４−フェニル酪酸エチルの含量は６４．５％であった。
【００６９】
実施例９：（Ｒ）−２−ヒドロキシ−４−フェニル酪酸の合成
実施例８と同様に粗（Ｒ）−２−アセトキシ−４−オキソ−４−フェニル酪酸１．００ｇを還元して（Ｒ）−２−アセトキシ−４−フェニル酪酸を得、これに１規定塩酸１５ｍｌを加え、１時間、撹拌下に加熱還流した。
【００７０】
反応液をＨＰＬＣで分析したところ０．５４ｇの（Ｒ）−２−ヒドロキシ−４−フェニル酪酸が生成していた。反応液を熱時濾過し、少量の不溶物を除いた後、氷浴中で冷却することにより、（Ｒ）−２−ヒドロキシ−４−フェニル酪酸が白色結晶として析出した。これを濾取し、乾燥した後の収量は０．４５ｇであった。
【００７１】
【発明の効果】
本発明の方法により、純度の高い光学活性２−ヒドロキシ−４−アリール酪酸またはそのエステルを、容易かつ非常に高収率に製造することが可能になった。従って、本発明の方法は、医薬品等の中間体として有用な化合物である光学活性２−ヒドロキシ−４−アリール酪酸またはそのエステルを工業的に製造するための極めて有利な方法である。